(57)【要約】      （修正有）【課題】嚥下訓練に好適な運動器具を提供する。【解決手段】筒１と、底板２と、筒１内の圧縮コイルばねと、棒４と、押圧板５と、緩衝材６と、から成る。圧縮コイルばねによる漸進的負荷が、棒４から押圧板５を介して筋肉に伝達され、張力を発揮させる。【選択図】図１
2017217434.tif 000002
【特許請求の範囲】
【請求項１】
筒と、筒下端を塞ぐ底板と、底板上面中心から垂直に伸縮する圧縮コイルばねと、圧縮コイルばね上端に直列接続して筒内を滑動しつつ筒外へ延びて上下動する棒と、棒上端を中心として棒と垂直に結合する押圧板と、押圧板上面を覆う緩衝材と、から成る、運動器具。
【請求項２】
筒上端を塞ぎ中心に開口部を有する天板を備え、開口部を貫通する棒が二段構成すなわち筒内のみ滑動する部位は円柱であり且つ筒外に出る部位は円からはみ出さない柱であることを特徴とする、請求項１に記載の運動器具。
【発明の詳細な説明】
【技術分野】
【０００１】本発明は運動器具に関し、特に嚥下訓練に好適なものである。
【背景技術】
【０００２】嚥下に必要な筋肉を鍛えるために、筋力トレーニングや体操が行われている。これらは、嚥下訓練の分類では間接訓練に位置づけられ、安全性が高いと評価されている。また、コストの低さも魅力的である。【０００３】そのための運動器具として、舌圧子やマウスピース等（特許文献１〜８）が用いられることもある。【０００４】従来の嚥下訓練方法の詳細については、日本摂食嚥下リハビリテーション学会ＨＰ（非特許文献：ｈｔｔｐ：／／ｗｗｗ．ｊｓｄｒ．ｏｒ．ｊｐ／ｗｐ−ｃｏｎｔｅｎｔ／ｕｐｌｏａｄｓ／ｄｏｃ／１８−１−ｐ５５−８９．ｐｄｆ）を参照されたい。
【先行技術文献】
【０００５】
【特許文献１】特開２０００−２４５７９０
【特許文献２】特開２００５−２８７７１２
【特許文献３】特開２００６−２８８９５３
【特許文献４】特開２００６−３４９１６
【特許文献５】特開２００８−１１００２４
【特許文献６】特開２０１４−１１０８２１
【特許文献７】特開２０１５−０１５９６８
【特許文献８】実登３１９６１８９
【特許文献９】実登３１７３４６７
【非特許文献】
【非特許文献】日本摂食嚥下リハビリテーション学会医療検討委員会「訓練法のまとめ（２０１４版）」日摂食嚥下リハ会誌：１８（１）：５５−８９，２０１４
【発明の概要】
【発明が解決しようとする課題】
【０００６】嚥下訓練において、筋力トレーニングや体操では、辛く苦しい運動を反復継続する必要がある。そこで、運動の効果を高めて運動を楽にする運動器具が求められる。【０００７】しかるに、従来の運動器具には、以下のような課題がある。【０００８】まず、従来の運動器具は、主に舌筋または口輪筋に作用するものである。よって、準備期または口腔期の嚥下障害を改善する効果は期待できるものの、咽頭期への適応は不明である。【０００９】次に、口唇閉鎖訓練に使用する従来の運動器具には、口腔内に装着する煩わしさがある。【００１０】さらに、従来の運動器具は、自発的に運動する者にしか使用できない。
【課題を解決するための手段】
【００１１】本発明は、筒と、筒下端を塞ぐ底板と、底板上面中心から垂直に伸縮する圧縮コイルばねと、圧縮コイルばね上端に直列接続して筒内を滑動しつつ筒外へ延びて上下動する棒と、棒上端を中心として棒と垂直に結合する押圧板と、押圧板上面を覆う緩衝材と、から成る、運動器具である。【００１２】要するに、筒を指先でつまんで、押圧板を体表に押しあてる。すると、圧縮コイルばねによる漸進的負荷が棒から押圧板を介して筋肉に伝達され、張力を発揮させる仕組みである。【００１３】これは、本発明者が考案した表情筋エクササイズ美顔器具（特許文献９）を応用した発明である。【００１４】本発明は、押圧板を棒に結合する構造である。ゆえに、棒自体を押しあてる表情筋エクササイズ美顔器具と比べて、棒の直径を小さくできる。よって、筒の内径も小さくできる。従って、より小さな外径の圧縮コイルばねを接続できる。【００１５】さらに、筒上端を塞ぎ中心に開口部を有する天板を備え、開口部を貫通する棒が、二段構成すなわち筒内のみ滑動する部位は円柱であり且つ筒外に出る部位は円からはみ出さない柱であれば、棒が外れなくなる。
【発明の効果】
【００１６】まず、本発明は、押圧板を顎下にあてがい、安全に押すことができる。なぜなら、嚥下訓練に適した負荷の圧縮コイルばねを接続できるからである。仰臥位で、押圧板を顎下にあてがい、押すことによって、喉頭挙動筋群に作用して、咽頭期の嚥下障害を改善できる。【００１７】次に、本発明によれば、押圧板を口角にあてがい、押すことによって、口腔内に器具を装着せずに、口唇閉鎖訓練ができる。【００１８】さらに、本発明は、自発的に運動しない者に対しても、簡単に楽に使用できる。
【図面の簡単な説明】
【００１９】
【図１】実施例１の斜視図である。
【図２】実施例１の断面図である。
【図３】実施例２の斜視図である。
【図４】実施例２の断面図である。
【発明を実施するための形態】
【実施例１】
【００２０】嚥下訓練では、圧縮コイルばね３は、外径１２ｍｍ、線径０．８ｍｍ、自由高さ３４ｍｍ、許容荷重約１ｋｇの仕様のものを推奨する。なお、圧縮コイルばね３の仕様を変更することによって、例えば手首、肘、アキレス腱の強化といった用途に展開できる。【００２１】圧縮コイルばね３上端を、硬性素材を用いた円柱形棒４下面に、直列に結合する。棒４の内部は空洞であっても構わない。棒４の直径は、筒１の内径と同じ。筒１の内径は、１２ｍｍ超１５ｍｍ以下が嚥下訓練に適している。【００２２】圧縮コイルばね３下端を、硬性素材を用いた底板２上面中心に、垂直に結合する。底板２は、円形または円に近い多角形が望ましい。底板２の直径は、筒１の外径と同じか、あるいは筒１の外径より僅かに大きい。筒１の外径は、１５ｍｍ以上４０ｍｍ以下が嚥下訓練に適している。なお、底板２下面中心に窪みがあると安定する。【００２３】硬性素材を用いた筒１に棒４を挿しこみ、筒１下端と底板２上面とを結合する。筒１の高さは、圧縮コイルばね３の許容高さと棒４の長さとの和に、ほぼ等しい。【００２４】棒４上面と、硬性素材を用いた押圧板５とを、押圧板５下面中心で垂直に結合する。押圧板５は、直径３０ｍｍ以上４０ｍｍ以下の円形が嚥下訓練に適している。【００２５】押圧板５上面に、弾性素材を用いた緩衝材６を貼り付ける。
【実施例２】
【００２６】圧縮コイルばね３の仕様は、実施例１に同じ。【００２７】圧縮コイルばね３を底板２上面中心に垂直に立てる。底板２の仕様は実施例１に同じ。【００２８】棒４下面を圧縮コイルばね３上端に乗せる。【００２９】棒４の仕様は、二段構成である。筒１内のみ滑動する部位は円柱で、その直径は筒１の内径と同じ。筒１外に出る部位は、円からはみ出さない柱である。もし筒１外に出る部位も円柱であれば、棒４を側面から見ると凸形になる。棒４の内部は空洞であっても構わない。【００３０】筒１を底板２に被せ、筒１と底板２とを結合する。筒１の仕様は、高さを除いて実施例１に同じ。【００３１】筒１上端に、開口部を有する天板７を被せて、筒１と天板７とを結合する。開口部外縁は、筒１外に出る棒４上底面と同じ形が望ましい。【００３２】棒４上端と押圧板５とを、押圧板５下面中心で垂直に結合する。押圧板５の仕様は実施例１と同じだが、押圧板５下面中心に、天板７と同じ形状の補強板８を結合することが望ましい。【００３３】この場合には、筒１の高さと天板７の厚みと補強板８の厚みとの和が、圧縮コイルばね３の許容高さと棒４の長さとの和に、ほぼ等しい。【００３４】押圧板５上面に緩衝材６を貼り付ける。
【符号の説明】
【００３５】１  筒
２  底板
３  圧縮コイルばね
４  棒
５  押圧板
６  緩衝材
７  天板
８  補強板
【図１】
2017217434.tif 000003
【図２】
2017217434.tif 000004
【図３】
2017217434.tif 000005
【図４】
2017217434.tif 000006